(57)【要約】【課題】スライダーを操作することなく、外力を加えることにより分離（破壊）することができるスライドファスナーを提供する。【解決手段】一対のファスナーテープ２０と、一対のファスナーテープ２０の対向するテープ側縁部２１にそれぞれ取り付けられる一対のファスナーエレメント列３０と、一対のファスナーエレメント列３０を噛合・分離させるスライダー４０と、を備え、一対のファスナーテープ２０の少なくとも一方に脆弱部２２が設けられ、ファスナーテープ２０に外力Ｆが加えられることにより、脆弱部２２を起点として、スライドファスナー１０が分離される。【選択図】図２
0003192377.tif 000002
【実用新案登録請求の範囲】
【請求項１】
一対のファスナーテープ（２０）と、
前記一対のファスナーテープ（２０）の対向するテープ側縁部（２１）にそれぞれ取り付けられ、複数のファスナーエレメント（３１，３１Ａ）を有する一対のファスナーエレメント列（３０，３０Ａ）と、
前記一対のファスナーエレメント列（３０，３０Ａ）を噛合・分離させるスライダー（４０）と、を備えるスライドファスナー（１０，１０Ｂ，１０Ｃ，１０Ｄ，１０Ｅ）であって、
前記一対のファスナーテープ（２０）の少なくとも一方に脆弱部（２０，２２，２４，２５，２７，２８）が設けられ、
前記ファスナーテープ（２０）に外力が加えられることにより、前記脆弱部（２０，２２，２４，２５，２７，２８）を起点として分離されることを特徴とするスライドファスナー（１０，１０Ｂ，１０Ｃ，１０Ｄ，１０Ｅ）。
【請求項２】
前記脆弱部は、前記ファスナーテープ（２０）にその長さ方向に沿って形成される間欠スリット（２２）であることを特徴とする請求項１に記載のスライドファスナー（１０）。
【請求項３】
前記脆弱部は、前記ファスナーテープ（２０）にその長さ方向に沿って形成される溶融部（２４）であることを特徴とする請求項１に記載のスライドファスナー（１０Ｂ）。
【請求項４】
前記ファスナーテープ（２０）が不織布であり、この不織布からなる前記ファスナーテープ（２０）自体を前記脆弱部とすることを特徴とする請求項１に記載のスライドファスナー（１０Ｃ）。
【請求項５】
前記ファスナーテープ（２０）は、前記ファスナーエレメント列（３０）が取り付けられる第１ファスナーテープ（２０Ａ）と、前記第１ファスナーテープ（２０Ａ）に接着される第２ファスナーテープ（２０Ｂ）と、を備え、
前記接着部（２５）を前記脆弱部とすることを特徴とする請求項１に記載のスライドファスナー（１０Ｄ）。
【請求項６】
前記ファスナーエレメント（３１Ａ）は、前記ファスナーテープ（２０）に形成される孔部（２７，２８）に合成樹脂の射出成形により形成され、
前記孔部（２７，２８）を前記脆弱部とすることを特徴とする請求項１に記載のスライドファスナー（１０Ｅ）。
【考案の詳細な説明】
【技術分野】
【０００１】
本考案は、スライドファスナーに関する。
【背景技術】
【０００２】
従来のスライドファスナーとして、紙製又は不織布製の左右のファスナーテープと、左右のファスナーテープの対向するテープ側縁部にそれぞれ取り付けられるファスナーエレメントと、左右のファスナーエレメントを噛合・分離させるスライダーと、を備え、ファスナーテープのテープ側縁部の表面及び裏面の少なくとも一方に補強帯が設けられ、その補強帯が設けられたテープ側縁部にファスナーエレメントが縫い付けられるものが知られている（例えば、特許文献１参照）。
【先行技術文献】
【特許文献】
【０００３】
【特許文献１】実開昭５９−１７７３１５号公報
【考案の概要】
【考案が解決しようとする課題】
【０００４】
ところで、医療用の使い捨て衣類や、細菌やウィルスの感染を防ぐ化学防護服などでは、緊急時など早急な脱衣が必要となる場合がある。さらに、使用済みの化学防護服は素手で触ることができないため、脱衣時に手袋を着用する必要がある。このため、例えば、上記特許文献１に記載のスライドファスナーが使用された化学防護服の場合、化学防護服を早急に脱衣しなければならない場合であっても、手袋を装着した状態でスライドファスナーのスライダーを操作しなければならず、早急に脱衣することが困難であった。
【０００５】
本考案は、前述した事情に鑑みてなされたものであり、その目的は、スライダーを操作することなく、外力を加えることにより分離（破壊）することができるスライドファスナーを提供することにある。
【課題を解決するための手段】
【０００６】
本考案の上記目的は、下記の構成により達成される。
（１）一対のファスナーテープと、一対のファスナーテープの対向するテープ側縁部にそれぞれ取り付けられ、複数のファスナーエレメントを有する一対のファスナーエレメント列と、一対のファスナーエレメント列を噛合・分離させるスライダーと、を備えるスライドファスナーであって、一対のファスナーテープの少なくとも一方に脆弱部が設けられ、ファスナーテープに外力が加えられることにより、脆弱部を起点として分離されることを特徴とするスライドファスナー。
（２）脆弱部は、ファスナーテープにその長さ方向に沿って形成される間欠スリットであることを特徴とする（１）に記載のスライドファスナー。
（３）脆弱部は、ファスナーテープにその長さ方向に沿って形成される溶融部であることを特徴とする（１）に記載のスライドファスナー。
（４）ファスナーテープが不織布であり、この不織布からなるファスナーテープ自体を脆弱部とすることを特徴とする（１）に記載のスライドファスナー。
（５）ファスナーテープは、ファスナーエレメント列が取り付けられる第１ファスナーテープと、第１ファスナーテープに接着される第２ファスナーテープと、を備え、接着部を脆弱部とすることを特徴とする（１）に記載のスライドファスナー。
（６）ファスナーエレメントは、ファスナーテープに形成される孔部に合成樹脂の射出成形により形成され、孔部を脆弱部とすることを特徴とする（１）に記載のスライドファスナー。
【考案の効果】
【０００７】
本考案によれば、一対のファスナーテープの少なくとも一方に脆弱部が設けられ、ファスナーテープに外力が加えられることにより、脆弱部を起点として分離されるため、スライダーを操作することなく、外力を加えることによりスライドファスナーを分離（破壊）することができる。
【図面の簡単な説明】
【０００８】
【図１】本考案に係るスライドファスナーの第１実施形態を説明する表面図である。
【図２】図１に示す右側のファスナーテープを左右に分離した状態を説明する表面図である。
【図３】本考案に係るスライドファスナーの第２実施形態を説明する断面図である。
【図４】図３に示す脆弱部の形成方法を説明する図３のＡ部拡大断面図である。
【図５】本考案に係るスライドファスナーの第３実施形態を説明する断面図である。
【図６】図５に示す右側のファスナーテープを右側のファスナーエレメント列から分離した状態を説明する断面図である。
【図７】第３実施形態のスライドファスナーの変形例を説明する断面図である。
【図８】図７に示す被着体を右側のファスナーテープから分離した状態を説明する断面図である。
【図９】本考案に係るスライドファスナーの第４実施形態を説明する断面図である。
【図１０】図９のＢ部拡大断面図である。
【図１１】図１０に示す第２ファスナーテープを第１ファスナーテープから分離した状態を説明する断面図である。
【図１２】本考案に係るスライドファスナーの第５実施形態を説明する表面図である。
【図１３】図１２に示すファスナーエレメントの周辺の拡大断面図である。
【図１４】図１２に示す右側のファスナーテープを左右に分離した状態を説明する表面図である。
【図１５】第５実施形態のスライドファスナーの変形例を説明し、右側のファスナーテープを右側のファスナーエレメント列から分離した状態を説明する表面図である。
【考案を実施するための形態】
【０００９】
以下、本考案に係るスライドファスナーの各実施形態について、図面を参照して詳細に説明する。なお、以後の説明において、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。より詳細には、スライダーの幅が広い側であってファスナーエレメントが分離して出てくる側を前側、スライダーの幅が狭い側であってファスナーエレメントが噛合して出てくる側を後側とし、スライダーの摺動方向を前後方向、前後方向と直交且つファスナーテープと平行な方向を左右方向（幅方向）、前後方向及び左右方向に直交する方向を上下方向（長さ方向）とする。
【００１０】
（第１実施形態）
まず、図１及び図２を参照して、本考案に係るスライドファスナーの第１実施形態について説明する。
【００１１】
本実施形態のスライドファスナー１０は、図１に示すように、織製された左右一対のファスナーテープ２０と、左右のファスナーテープ２０の対向するテープ側縁部２１にそれぞれ縫い付けられ、複数のファスナーエレメント３１を有する左右一対のファスナーエレメント列３０と、左右のファスナーエレメント列３０を噛合・分離させるスライダー４０と、左右のファスナーエレメント列３０の上端部にそれぞれ設けられる上止部１５と、左右のファスナーエレメント列３０の下端部に設けられる開き具１６と、を備える。なお、ファスナーテープ２０とファスナーエレメント列３０によりファスナーストリンガー１１が構成される。また、開き具１６は、下止部であってもよい。
【００１２】
開き具１６は、右側のファスナーテープ２０のテープ側縁部２１の下端部に形成される箱棒１６ａ及び箱体１６ｂと、左側のファスナーテープ２０のテープ側縁部２１の下端部に形成され、箱体１６ｂ内に挿入可能な蝶棒１６ｃと、を備える。
【００１３】
ファスナーエレメント列３０は、図１に示すように、合成樹脂製のモノフィラメントを一定方向に巻回すことにより形成されるコイル状のファスナーエレメント列であり、複数のファスナーエレメント３１を有する。そして、ファスナーエレメント列３０は、二重環縫いされる縫い糸３２によってファスナーテープ２０のテープ側縁部２１の表面に縫い付けられる。また、図１中の符号３３は、ファスナーエレメント列３０に挿通される芯部である。
【００１４】
そして、本実施形態では、図１に示すように、左右のファスナーテープ２０に、その長さ方向に沿って間欠スリット（ミシン目）２２が形成されており、この間欠スリット２２が本実施形態の脆弱部を構成している。なお、間欠スリット２２は、左右のファスナーテープ２０の一方のみに形成されていてもよい。
【００１５】
このように構成されたスライドファスナー１０では、図２に示すように、右側のファスナーテープ２０に幅方向外側向かう外力Ｆが加えられることにより、間欠スリット２２を起点として、右側のファスナーテープ２０が左右に分離される。従って、化学防護服などを早急な脱衣しなければならない場合、スライダー４０を操作することなく、スライドファスナー１０に外力Ｆを加えるだけでスライドファスナー１０を左右に分離（破壊）して、化学防護服などを早急に脱衣することができる。なお、図２では、右側のファスナーテープ２０が左右に分離されているが、当然ながら、左側のファスナーテープ２０が左右に分離されてもよい。
【００１６】
以上説明したように、本実施形態のスライドファスナー１０によれば、ファスナーテープ２０に外力Ｆが加えられることにより、間欠スリット２２を起点として、一方のファスナーテープ２０が左右に分離されるため、スライダー４０を操作することなく、外力Ｆを加えることによりスライドファスナー１０を分離（破壊）することができる。また、ファスナーテープ２０に間欠スリット２２を形成するだけであるため、製造コストを低く抑えることができる。
【００１７】
（第２実施形態）
次に、図３及び図４を参照して、本考案に係るスライドファスナーの第２実施形態について説明する。なお、第１実施形態と同一又は同等部分については、図面に同一或いは同等符号を付してその説明を省略或いは簡略化する。
【００１８】
本実施形態のスライドファスナー１０Ｂでは、図３に示すように、左右のファスナーテープ２０に、その長さ方向に沿って溶融部２４が形成されており、この溶融部２４が本実施形態の脆弱部を構成している。また、溶融部２４は、１本の直線状でもよいし、上記間欠スリット２２のように１本の破線状であってもよい。なお、溶融部２４は、左右のファスナーテープ２０の一方のみに形成されていてもよい。
【００１９】
また、溶融部２４は、図４に示すように、ファスナーテープ２０を構成する１つの縦糸２３ａ間の横糸２３ｂを上下の溶融具２４ＤＶで挟むことにより溶融されて形成される。なお、溶融具２４ＤＶは、超音波方式又はヒーター方式により横糸２３ｂを溶融する。また、溶融部２４とは、横糸２３ｂの脆化した部分のことである。
【００２０】
このように構成されたスライドファスナー１０Ｂでは、上記第１実施形態と同様に、一方のファスナーテープ２０に幅方向外側に向かう外力Ｆが加えられることにより、溶融部２４を起点として、一方のファスナーテープ２０が左右に分離される。
【００２１】
以上説明したように、本実施形態のスライドファスナー１０Ｂによれば、ファスナーテープ２０に外力Ｆが加えられることにより、溶融部２４を起点として、一方のファスナーテープ２０が左右に分離されるため、スライダー４０を操作することなく、外力Ｆを加えることによりスライドファスナー１０Ｂを分離（破壊）することができる。また、ファスナーテープ２０に溶融部２４を形成するだけであるため、製造コストを低く抑えることができる。
その他の構成及び作用効果については、上記第１実施形態と同様である。
【００２２】
（第３実施形態）
次に、図５〜図８を参照して、本考案に係るスライドファスナーの第３実施形態について説明する。なお、第１実施形態と同一又は同等部分については、図面に同一或いは同等符号を付してその説明を省略或いは簡略化する。
【００２３】
本実施形態のスライドファスナー１０Ｃでは、図５に示すように、左右のファスナーテープ２０がフェルトなどの不織布であり、この不織布からなるファスナーテープ２０自体が脆弱部を構成している。また、本実施形態のファスナーテープ２０は、ファスナーエレメント列３０をファスナーテープ２０に縫い付ける縫い糸３２よりも脆い素材で形成されている。なお、左右のファスナーテープ２０の一方のみが不織布であってもよい。
【００２４】
このように構成されたスライドファスナー１０Ｃでは、図６に示すように、右側のファスナーテープ２０に幅方向外側に向かう外力Ｆが加えられることにより、ファスナーテープ２０の縫い糸３２が貫通する位置を起点として、右側のファスナーテープ２０が右側のファスナーエレメント列３０から分離される。
【００２５】
以上説明したように、本実施形態のスライドファスナー１０Ｃによれば、左右のファスナーテープ２０が不織布からなり、ファスナーテープ２０に外力Ｆが加えられることにより、一方のファスナーテープ２０の縫い糸３２が貫通する位置を起点として、一方のファスナーテープ２０が一方のファスナーエレメント列３０から分離されるため、スライダー４０を操作することなく、外力Ｆを加えることによりスライドファスナー１０Ｃを分離（破壊）することができる。また、ファスナーテープ２０を不織布にするだけであるため、製造コストを低く抑えることができる。
【００２６】
また、本実施形態の変形例として、図７に示すように、上記した不織布からなるファスナーテープ２０を、スライドファスナー１０Ｃを衣服などの被着体１２に縫い付ける縫製糸１３、及び被着体１２よりも脆い素材で形成してもよい。
【００２７】
そして、本変形例では、図８に示すように、被着体１２に幅方向外側向かう外力Ｆが加えられることにより、ファスナーテープ２０の縫製糸１３が貫通する位置を起点として、被着体１２が右側のファスナーテープ２０から分離される。
その他の構成及び作用効果については、上記第１実施形態と同様である。
【００２８】
（第４実施形態）
次に、図９〜図１１を参照して、本考案に係るスライドファスナーの第４実施形態について説明する。なお、第１実施形態と同一又は同等部分については、図面に同一或いは同等符号を付してその説明を省略或いは簡略化する。
【００２９】
本実施形態のスライドファスナー１０Ｄでは、図９に示すように、左右のファスナーテープ２０が、ファスナーエレメント列３０が取り付けられる第１ファスナーテープ２０Ａと、第１ファスナーテープ２０Ａに接着される第２ファスナーテープ２０Ｂと、を備えており、その接着部２５が脆弱部を構成している。また、第１ファスナーテープ２０Ａを構成する縦糸２６ａ及び横糸２６ｂの内の横糸２６ｂが起毛糸で構成されている。なお、左右のファスナーテープ２０の内の少なくとも一方が第１及び第２ファスナーテープ２０Ａ，２０Ｂで構成されていればよい。
【００３０】
このように構成されたスライドファスナー１０Ｄでは、図１０及び図１１に示すように、ファスナーテープ２０に幅方向外側に向かう外力Ｆが加えられることにより、接着部２５を起点として、第２ファスナーテープ２０Ｂが第１ファスナーテープ２０Ａから分離される。また、この時、起毛糸からなる横糸２６ｂが切断され、その切断された横糸２６ｂが第２ファスナーテープ２０Ｂと共に第１ファスナーテープ２０Ａから分離される。
【００３１】
以上説明したように、本実施形態のスライドファスナー１０Ｄによれば、ファスナーテープ２０に外力Ｆが加えられることにより、接着部２５を起点として、一方のファスナーテープ２０の第２ファスナーテープ２０Ｂが第１ファスナーテープ２０Ａから分離されるため、スライダー４０を操作することなく、外力Ｆを加えることによりスライドファスナー１０Ｄを分離（破壊）することができる。第１及び第２ファスナーテープ２０Ａ，２０Ｂを接着するだけであるため、製造コストを低く抑えることができる。
その他の構成及び作用効果については、上記第１実施形態と同様である。
【００３２】
（第５実施形態）
次に、図１２〜図１５を参照して、本考案に係るスライドファスナーの第５実施形態について説明する。なお、第１実施形態と同一又は同等部分については、図面に同一或いは同等符号を付してその説明を省略或いは簡略化する。
【００３３】
本実施形態のスライドファスナー１０Ｅでは、図１２に示すように、ファスナーテープ２０のテープ側縁部２１に、コイル状のファスナーエレメント列３０の代わりに、複数の合成樹脂製のファスナーエレメント３１Ａを有するファスナーエレメント列３０Ａが設けられている。
【００３４】
そして、ファスナーエレメント３１Ａは、図１３に示すように、ファスナーテープ２０に形成される複数の矩形状の孔部２７に合成樹脂の射出成形によりそれぞれ形成されており、この孔部２７が脆弱部を構成している。また、この孔部２７内にファスナーエレメント３１Ａの一部が配置され、その一部を連通部３４とする。また、連通部３４は、孔部２７が矩形状のため、矩形状に形成される。なお、孔部２７は、左右のファスナーテープ２０の一方のみに形成されていてもよい。
【００３５】
このように構成されたスライドファスナー１０Ｅでは、図１４に示すように、右側のファスナーテープ２０に幅方向外側に向かう外力Ｆが加えられることにより、複数の孔部２７を起点として、右側のファスナーテープ２０が左右に分離される。
【００３６】
以上説明したように、本実施形態のスライドファスナー１０にＥよれば、ファスナーテープ２０に外力Ｆが加えられることにより、複数の孔部２７を起点として、一方のファスナーテープ２０が左右に分離されるため、スライダー４０を操作することなく、外力Ｆを加えることによりスライドファスナー１０Ｅを分離（破壊）することができる。また、ファスナーテープ２０に孔部２７を形成するだけであるため、製造コストを低く抑えることができる。
【００３７】
なお、上記した合成樹脂射出成形タイプのファスナーエレメントを有するスライドファスナーの場合、通常、ファスナーテープのエレメント形成位置に孔部が形成されているが、この孔部は本実施形態の孔部２７よりもかなり小さいものであるため、その孔部を起点としてファスナーテープを左右に分離することはできない。
【００３８】
また、本実施形態の変形例として、図１５に示すように、ファスナーテープ２０に、複数の矩形状の孔部２７の代わりに、複数の三角形状の孔部２８が形成されていてもよい。この孔部２８は、二等辺三角形であり、その頂点が相手側のファスナーテープ２０側に向くように配置されている。従って、本変形例のファスナーエレメント３１Ａの連通部３４は二等辺三角形に形成される。
【００３９】
そして、本変形例では、図１５に示すように、右側のファスナーテープ２０に幅方向外側向かう外力Ｆが加えられることにより、複数の孔部２８を起点として、右側のファスナーテープ２０が右側のファスナーエレメント列３０Ａから分離される。また、この時、三角形の連通部３４により、テープ側縁部２１の孔部２８の頂点部分が切断され、孔部２８から連通部３４が抜け出る。
その他の構成及び作用効果については、上記第１実施形態と同様である。
【００４０】
なお、本考案は、上記実施形態に例示したものに限定されるものではなく、本考案の要旨を逸脱しない範囲において適宜変更可能である。
【符号の説明】
【００４１】
１０，１０Ｂ，１０Ｃ，１０Ｄ，１０Ｅ    スライドファスナー
２０    ファスナーテープ（脆弱部）
２０Ａ  第１ファスナーテープ
２０Ｂ  第２ファスナーテープ
２１    テープ側縁部
２２    間欠スリット（脆弱部）
２４    溶融部（脆弱部）
２５    接着部（脆弱部）
２７    孔部（脆弱部）
２８    孔部（脆弱部）
３０，３０Ａ    ファスナーエレメント列
３１，３１Ａ    ファスナーエレメント
４０    スライダー
【図１】
0003192377.tif 000003
【図２】
0003192377.tif 000004
【図３】
0003192377.tif 000005
【図４】
0003192377.tif 000006
【図５】
0003192377.tif 000007
【図６】
0003192377.tif 000008
【図７】
0003192377.tif 000009
【図８】
0003192377.tif 000010
【図９】
0003192377.tif 000011
【図１０】
0003192377.tif 000012
【図１１】
0003192377.tif 000013
【図１２】
0003192377.tif 000014
【図１３】
0003192377.tif 000015
【図１４】
0003192377.tif 000016
【図１５】
0003192377.tif 000017